(57)【要約】【課題】フィルムに残存する接着剤を再利用することができる接着剤転写装置および接着剤転写方法を提供する。【解決手段】フィルムＦに付与された接着剤Ａを、フィルムＦの送り経路における拡げ位置で、フィルムＦに拡げる拡げ部５１、５２と、フィルムＦに拡げられた接着剤Ａから一部を、送り経路における転写位置Ｐ３で、転写対象物１８に転写する転写部１０と、フィルムＦに拡げられた接着剤Ａが拡げ位置Ｐ１、Ｐ２から転写位置Ｐ３に向かうように、フィルムＦを第１方向Ｗ１に送ることができ、且つ、一部が転写対象物１８に転写されてフィルムＦに残った残部を接着剤Ａが転写位置Ｐ３から拡げ位置Ｐ１、Ｐ２に向かうように、フィルムＦを第１方向Ｗ１とは反対の第２方向Ｗ２に送ることができる送り部３０と、を備えたことを特徴とする。【選択図】図４
2015112529.tif 000002
【特許請求の範囲】
【請求項１】
フィルムに付与された接着剤を、前記フィルムの送り経路における拡げ位置で、前記フィルムに拡げる拡げ部と、
前記フィルムに拡げられた前記接着剤から一部を、前記送り経路における転写位置で、転写対象物に転写する転写部と、
前記フィルムに拡げられた前記接着剤が前記拡げ位置から前記転写位置に向かうように、前記フィルムを第１方向に送ることができ、且つ、一部が前記転写対象物に転写されて前記フィルムに残った残部の前記接着剤が前記転写位置から前記拡げ位置に向かうように、前記フィルムを前記第１方向とは反対の第２方向に送ることができる送り部と、
を備えたことを特徴とする接着剤転写装置。
【請求項２】
前記拡げ部、前記転写部および前記送り部を制御する制御部、をさらに備え、
前記制御部は、
前記転写部を制御して、前記フィルムに拡げられた前記接着剤から、一部を前記転写対象物に転写させ、
前記送り部を制御して、前記フィルムを前記第２方向に送らせ、
前記拡げ部を制御して、一部が前記転写対象物に転写されて前記フィルムに残った残部の前記接着剤を、前記フィルムに拡げさせ、
前記送り部を制御して、前記フィルムを前記第１方向に送らせ、
前記転写部を制御して、前記フィルムに拡げられた残部の前記接着剤から、一部を前記転写対象物に転写させる、
ことを特徴とする請求項１に記載の接着剤転写装置。
【請求項３】
前記送り経路において、前記転写位置に対し前記拡げ位置とは対称となる他の拡げ位置で、前記接着剤を前記フィルムに拡げる他の拡げ部、をさらに備えたことを特徴とする請求項１に記載の接着剤転写装置。
【請求項４】
前記拡げ部、前記他の拡げ部、前記転写部および前記送り部を制御する制御部、をさらに備え、
前記制御部は、
前記転写部を制御して、前記フィルムの第１領域に拡げられた前記接着剤から、一部を前記転写対象物に転写させると共に、前記他の拡げ部を制御して、前記フィルムの第２領域に付与された前記接着剤を、前記第２領域に拡げさせ、
前記送り部を制御して、前記フィルムを前記第２方向に送らせ、
前記拡げ部を制御して、一部が前記転写対象物に転写されて前記第１領域に残った残部の前記接着剤を、前記第１領域に拡げさせると共に、前記転写部を制御して、前記第２領域に拡げられた前記接着剤から、一部を前記転写対象物に転写させ、
前記送り部を制御して、前記フィルムを前記第１方向に送らせ、
前記転写部を制御して、前記第１領域に拡げられた残部の前記接着剤から、一部を前記転写対象物に転写させると共に、前記他の拡げ部を制御して、一部が前記転写対象物に転写されて前記第２領域に残った残部の前記接着剤を、前記第２領域に拡げさせる、
ことを特徴とする請求項３に記載の接着剤転写装置。
【請求項５】
前記接着剤の使用可能時間を記憶する記憶部、をさらに備え、
前記制御部は、前記フィルムに対して前記接着剤が付与されてから、前記使用可能時間を経過した時点で、前記転写部による、前記転写対象物への前記接着剤の転写を停止することを特徴とする請求項２または４に記載の接着剤転写装置。
【請求項６】
前記転写部は、前記フィルムから転写された前記接着剤を、他の部品に再転写するための転写コマを、前記転写対象物として、前記接着剤を転写することを特徴とする請求項１ないし５のいずれかに記載の接着剤転写装置。
【請求項７】
フィルムに付与された接着剤を、前記フィルムに拡げ、
前記フィルムに拡げられた前記接着剤から、一部を転写対象物に転写し、
前記フィルムに拡げられた前記接着剤から、一部が前記転写対象物に転写されて残った残部の前記接着剤を、前記フィルムに拡げ、
前記フィルムに拡げられた残部の前記接着剤から、一部を前記転写対象物に転写することを特徴とする接着剤転写方法。
【発明の詳細な説明】
【技術分野】
【０００１】
本発明は、フィルムに接着剤を拡げ、転写対象物に接着剤を転写する接着剤転写装置および接着剤転写方法に関する。
【背景技術】
【０００２】
従来、帯状のフィルムが載置されるスキージ台と、フィルムをスキージ台上へ搬送する搬送手段と、フィルムに対してフィルムの搬送方向上流側に移動してフィルム上に付与された接着剤をフィルム表面に伸展させるスキージ作業を行うスキージと、スキージ作業の開始位置が、フィルムにおける前回のスキージ作業の終了位置よりもフィルムの搬送方向の下流側になるように、スキージとフィルムとの相対位置を制御する制御手段と、スキージ作業の終了位置よりも常にフィルムの搬送方向の下流側で、フィルム表面に塗布された接着剤を所定のワークに転写させる転写部と、を備えた接着剤塗布装置が知られている（特許文献１参照）。
【先行技術文献】
【特許文献】
【０００３】
【特許文献１】特開２００９−１３６７６２号公報
【発明の概要】
【発明が解決しようとする課題】
【０００４】
従来の接着剤付与装置は、フィルム表面に一様な厚さで連続的に接着剤を塗布することによって、接着剤の無駄を少なくするものであり、ワークに接着剤を転写した後、フィルムに残存する接着剤を再利用するものではなかった。
【０００５】
本発明は、フィルムに残存する接着剤を再利用することができる接着剤転写装置および接着剤転写方法を提供することを課題としている。
【課題を解決するための手段】
【０００６】
本発明の接着剤転写装置は、フィルムに付与された接着剤を、フィルムの送り経路における拡げ位置で、フィルムに拡げる拡げ部と、フィルムに拡げられた接着剤から一部を、送り経路における転写位置で、転写対象物に転写する転写部と、フィルムに拡げられた接着剤が拡げ位置から転写位置に向かうように、フィルムを第１方向に送ることができ、且つ、一部が転写対象物に転写されてフィルムに残った残部の接着剤が転写位置から拡げ位置に向かうように、フィルムを第１方向とは反対の第２方向に送ることができる送り部と、を備えたことを特徴とする。
【０００７】
この構成によれば、フィルムに拡げられた接着剤から一部を転写対象物に転写した後、送り部により、フィルムが第２方向へ送られ、拡げ部により、残った残部の接着剤が、フィルムに拡げられ、送り部により、フィルムが第１方向へ送られ、転写部により、拡げられた残部の接着剤から一部が転写対象物に転写される。これにより、フィルムに残った残部の接着剤を、再利用することができる。
【０００８】
この場合、拡げ部、転写部および送り部を制御する制御部、をさらに備え、制御部は、転写部を制御して、フィルムに拡げられた接着剤から、一部を転写対象物に転写させ送り部を制御して、フィルムを第２方向に送らせ、拡げ部を制御して、一部が転写対象物に転写されてフィルムに残った残部の接着剤を、フィルムに拡げさせ、送り部を制御して、フィルムを第１方向に送らせ、転写部を制御して、フィルムに拡げられた残部の接着剤から、一部を転写対象物に転写させることが好ましい。
【０００９】
この構成によれば、転写部が、接着剤の一部を転写対象物へ転写する動作、送り部が、フィルムを第２方向へ送る動作、拡げ部が、フィルムに残った残部の接着剤を拡げる動作、送り部が、フィルムを第１方向へ送る動作、転写部が、フィルムに拡げられた残部の接着剤から一部を転写対象物へ転写する動作、という一連の各部の動作を、自動的に行うことができる。
【００１０】
この場合、送り経路において、転写位置に対し拡げ位置とは対称となる他の拡げ位置で、接着剤をフィルムに拡げる他の拡げ部、をさらに備えることが好ましい。
【００１１】
この構成によれば、いずれかの拡げ部が、第１領域および第２領域のうち、一方の領域の接着剤を拡げる際にも、転写部が休むことなく、他方の領域の接着剤を転写対象物に転写する。これにより、拡げ部が１箇所のみの場合より、転写部の稼働率を向上させることができ、タクトタイムを短縮することができる。
【００１２】
この場合、拡げ部、他の拡げ部、転写部および送り部を制御する制御部、をさらに備え、制御部は、転写部を制御して、フィルムの第１領域に拡げられた接着剤から、一部を転写対象物に転写させると共に、他の拡げ部を制御して、フィルムの第２領域に付与された接着剤を、第２領域に拡げさせ、送り部を制御して、フィルムを第２方向に送らせ、拡げ部を制御して、一部が転写対象物に転写されて第１領域に残った残部の接着剤を、第１領域に拡げさせると共に、転写部を制御して、第２領域に拡げられた接着剤から、一部を転写対象物に転写させ、送り部を制御して、フィルムを第１方向に送らせ、転写部を制御して、第１領域に拡げられた残部の接着剤から、一部を転写対象物に転写させると共に、他の拡げ部を制御して、一部が転写対象物に転写されて第２領域に残った残部の接着剤を、第２領域に拡げさせることが好ましい。
【００１３】
この構成によれば、転写部が、フィルムの第１領域に拡げられた接着剤の一部を転写対象物へ転写すると共に、他の拡げ部が、フィルムの第２領域に接着剤を拡げる動作、送り部が、フィルムを第２方向へ送る動作、拡げ部が、フィルムの第１領域に残った残部の接着剤を拡げると共に、転写部が、フィルムの第２領域に拡げられた接着剤の一部を転写対象物へ転写する動作、送り部が、フィルムを第１方向へ送る動作、転写部が、フィルムの第１領域に拡げられた残部の接着剤から一部を転写対象物へ転写すると共に、他の拡げ部が、フィルムの第２領域に残った残部の接着剤を拡げる、という一連の各部の動作を、自動的に行うことができる。
【００１４】
この場合、接着剤の使用可能時間を記憶する記憶部、をさらに備え、制御部は、フィルムに対して接着剤が付与されてから、使用可能時間を経過した時点で、転写部による、転写対象物への接着剤の転写を停止することが好ましい。
【００１５】
この構成によれば、接着剤の使用可能時間が経過した時点で、転写部による転写対象物への接着剤の転写を停止することができる。
【００１６】
この場合、転写部は、フィルムから転写された接着剤を、他の部品に再転写するための転写コマを、転写対象物として、接着剤を転写することが好ましい。
【００１７】
この構成によれば、転写コマを使用することで、フィルムから接着剤を、転写対象物の平面上の一部分に転写することができる。
【００１８】
本発明の接着剤転写方法は、フィルムに付与された接着剤を、フィルムに拡げ、フィルムに拡げられた接着剤から、一部を転写対象物に転写し、フィルムに拡げられた接着剤から、一部が転写対象物に転写されて残った残部の接着剤を、フィルムに拡げ、フィルムに拡げられた残部の接着剤から、一部を転写対象物に転写することを特徴とする。
【００１９】
この方法によれば、フィルムに拡げられた接着剤から一部を転写対象物に転写した後、残った残部の接着剤をフィルムに拡げ、拡げられた残部の接着剤から、一部を転写対象物に転写することで、一部が転写対象物に転写されて、残った残部の接着剤を、再利用することができる。
【図面の簡単な説明】
【００２０】
【図１】本発明の接着剤転写装置における接着剤の転写対象物である転写コマ、第１接着対象物であるカバープレートおよび第２接着対象物であるインクジェットヘッドのアクチュエーターを示す図である。
【図２】本発明の接着剤転写装置における接着剤の転写対象物である転写コマを示す図であり、（ａ）は正面図、（ｂ）は底面図、（ｃ）は（ｂ）の切断線の一部拡大断面図である。
【図３】本発明の接着剤転写装置における接着剤の第１接着対象物であるカバープレートを示し、（ａ）は上面図、（ｂ）は正面図、（ｃ）はカバープレートに接着剤が転写されている様子を示す図である。
【図４】本発明の実施形態に係る接着剤転写装置の構成図である。
【図５】本発明の接着剤転写装置を使用してフィルムに付与された接着剤を転写対象物に転写する工程図である。
【図６】図５に続く工程図である。
【図７】図６に続く工程図である。
【図８】本発明の接着剤転写装置を使用する場合のフローチャートである。
【発明を実施するための形態】
【００２１】
以下、添付の図面を参照して、本発明の一実施形態に係る接着剤転写装置について説明する。この接着剤転写装置は、帯状のフィルムに付与された接着剤をフィルムに拡げ、拡げられた接着剤から、一部を転写対象物に転写するものである。
【００２２】
まず、図１に示す、本実施形態において、フィルムＦから接着剤Ａが転写される転写対象物と、転写対象物から接着剤Ａが再転写される第１接着対象物と、第１接着対象物に接着される第２接着対象物と、について説明する。転写対象物、第１接着対象物および第２接着対象物は、特に限定されるものではないが、本実施形態では、第２接着対象物であるインクジェットヘッドのアクチュエーター６５に、第１接着対象物であるカバープレート２０を接着するために、転写対象物である転写コマ１８を用いて、カバープレート２０に接着剤Ａを付与する場合について説明する。
【００２３】
なお、以下では、「上」「下」「左」「右」「前」「後」を用いて説明するが、これらの方向は説明の便宜上のものであり、本発明の実施に関しては、これらの方向に限定されるものではない。
【００２４】
まず、接着剤転写装置１（図４参照）により、フィルムＦに接着剤Ａが拡げられる（図１（ａ）参照）。次に、接着剤転写装置１により、転写コマ１８に、接着剤Ａから一部が転写される（図１（ｂ）参照）。さらに、接着剤転写装置１により、接着剤Ａが転写された転写コマ１８から、カバープレート２０に接着剤Ａが再転写される（図１（ｃ）参照）。最後に、第２接着対象物を接着する装置により、インクジェットヘッドのアクチュエーター６５に、カバープレート２０が接着される（図１（ｄ）参照）。
【００２５】
図２に示すように、転写コマ１８は、略矩形厚板状のベース部１２と、ベース部１２の略中央から突設された、略短四角状のコマ本体１１と、を備えている。ベース部１２の四隅には、接着剤転写装置１の転写部１０（図４参照）に転写コマ１８を装着するための、ボルトが挿通する貫通孔１３が形成されている。
【００２６】
コマ本体１１の先端面には、底面視縦格子状に形成された転写領域１６が、左右に設けられている。各転写領域１６は、縦に細長い角丸矩形状の環状凸部１７が、３つ横に連続するようにして構成されている。各環状凸部１７の先端面に、後述するフィルムＦに拡げられた接着剤Ａから、一部が転写される。
【００２７】
各転写領域１６の外形の寸法は、例えば、３８ｍｍ×７ｍｍである。また、２つの転写領域１６間の間隔は、例えば、３ｍｍである。このため、２つの転写領域１６の各環状凸部１７に対し、接着剤Ａを適切に転写するためには、フィルムＦ上の、少なくとも３８ｍｍ×１７ｍｍの領域に、接着剤Ａを拡げておく必要がある。
【００２８】
これに対して、各環状凸部１７の幅Ｂは、例えば、０．１ｍｍ〜０．２ｍｍである。このため、フィルムＦに拡げられた接着剤Ａに対し、転写コマ１８に転写される接着剤Ａの量は、極僅かであり、例えば、０．０５％である。なお、各環状凸部１７の高さＨは、例えば、０．５ｍｍである。
【００２９】
各環状凸部１７の略中央部には、コマ本体１１およびベース部１２を貫通して空気孔２２が形成されている。空気孔２２は、転写コマ１８の先端面をフィルムＦに拡げられた接着剤Ａに押し付けた時に、空気の逃げ孔となる。
【００３０】
図３に示すように、第１接着対象物であるカバープレート２０は、例えばステンレス製の薄い（０．１ｍｍ程度）板状で構成されている。カバープレート２０は、略矩形状に形成されており、一方の長辺が所定の角度に折り曲げられている。カバープレート２０には、縦に細長い略矩形状の開口２１が２つ設けられており、開口２１の四周を囲むように、転写コマ１８から接着剤Ａが再転写される（図３（ｃ）参照）。カバープレート２０の２つの開口２１を塞ぐようにして、２つのアクチュエーター６５がカバープレート２０に接着される。
【００３１】
続いて、本実施形態における接着剤転写装置１の構成について説明する。図４に示すように、接着剤転写装置１は、フィルムＦを送る送り部３０と、フィルムＦの送り方向に沿って順に並んだ、フィルムＦに接着剤Ａを付与する接着剤付与部４０と、フィルムＦに接着剤Ａを拡げる第１拡げ部５１と、フィルムＦに拡げられた接着剤Ａを転写対象物へ転写する転写部１０と、フィルムＦに接着剤Ａを拡げる第２拡げ部５２と、を備えている。また、接着剤転写装置１は、各部の動作を制御する制御部７０を備えている。
【００３２】
接着剤付与部４０は、例えば、接着剤ＡをフィルムＦへ吐出するディスペンサーで構成されている。なお、接着剤付与部４０を備える代わりに、人が動作し、接着剤Ａを付与する態様であっても良い。
【００３３】
送り部３０は、図４に示す左方向、つまり、第１拡げ部５１から転写部１０に向かう第１方向Ｗ１に、ロール・ツー・ロール方式で、フィルムＦを送る。送り部３０は、フィルムＦの繰出しを行う第１回転リール３１と、フィルムＦの巻取りを行う第２回転リール３２と、第１回転リール３１を駆動する第１トルクモーター３３と、第２回転リール３２を駆動する第２トルクモーター３４と、を備えている。また、送り部３０は、フィルムＦを第１方向Ｗ１とは反対の第２方向Ｗ２にも送ることができる。
【００３４】
第１拡げ部５１は、フィルムＦに接着剤Ａを拡げる第１スキージ５３と、第１スキージ５３による、フィルムＦに接着剤Ａを拡げる際の土台となる第１拡げ土台５４と、第１スキージ５３を、第１方向Ｗ１、第２方向Ｗ２および上下方向へ駆動する第１スキージ駆動部５５と、を備えている。
同様に、第２拡げ部５２は、フィルムＦに接着剤Ａを拡げる第２スキージ５６と、第２スキージ５６による、フィルムＦに接着剤Ａを拡げる際の土台となる第２拡げ土台５７と、第２スキージ５６を、第１方向Ｗ１、第２方向Ｗ２および上下方向へ駆動する第２スキージ駆動部５８と、を備えている。
【００３５】
第１拡げ部５１は、第１スキージ駆動部５５により、第１スキージ５３を、第１方向Ｗ１および第２方向Ｗ２へ移動させることで、フィルムＦの送り経路における第１拡げ位置Ｐ１で、フィルムＦに接着剤Ａを拡げる。また、第２拡げ部５２は、第２スキージ駆動部５８により、第２スキージ５６を、第２方向Ｗ２および第１方向Ｗ１へ移動させることで、フィルムＦの送り経路における第２拡げ位置Ｐ２で、フィルムＦに接着剤Ａを拡げる。なお、第１スキージ５３および第２スキージ５６は、上下方向への移動ができるものである。
【００３６】
転写部１０は、装着した転写コマ１８を上下に移動させる昇降機構１４と、転写土台１５で構成されている。昇降機構１４は、フィルムＦの接着剤Ａから一部を転写コマ１８へ転写させるために、フィルムＦ面に向かって、下降して、フィルムＦの送り経路における転写位置Ｐ３で、接着剤Ａから一部を転写コマ１８へ転写した後、フィルムＦから離れるように上昇する。なお、第１拡げ位置Ｐ１と第２拡げ位置Ｐ２とは、転写位置Ｐ３に対して対称となる位置に設けられている。すなわち、第１拡げ位置Ｐ１および第２拡げ位置Ｐ２は、転写位置Ｐ３から略等間隔である。
【００３７】
制御部７０は、第１トルクモーター３３および第２トルクモーター３４を制御して、送り部３０が、フィルムＦを送る動作を制御する。また、接着剤付与部４０が、フィルムＦに接着剤Ａを吐出する動作を制御する。また、制御部７０は、第１スキージ駆動部５５を制御して、第１拡げ部５１が、接着剤ＡをフィルムＦに拡げる動作を制御する。制御部７０は、第２スキージ駆動部５８を制御して、第２拡げ部５２が、接着剤ＡをフィルムＦに拡げる動作を制御する。さらには、制御部７０は、昇降機構１４を制御して、転写部１０が、接着剤Ａから一部を転写対象物に転写する動作を制御する。また、図示省略した記憶部には、接着剤Ａの使用可能時間が記憶されている。記憶部には、例えば、接着剤Ａの種類が変わる度に、オペレーターの入力によって、使用可能時間が記憶される。接着剤Ａの使用可能時間は、例えば、２時間である。
【００３８】
次に、図５、図６、図７および図８において、本実施形態における各部の動作により、転写コマ１８に接着剤Ａを転写する様子を説明する。
【００３９】
まず、制御部７０は、接着剤付与部４０により、フィルムＦの第２領域６２に接着剤Ａを吐出させる（図５（ａ）、図８：Ｓ１参照）。
【００４０】
次に、制御部７０は、第１トルクモーター３３および第２トルクモーター３４を駆動して、フィルムＦを第１方向Ｗ１に送らせる（図５（ｂ）参照）。次に、制御部７０は、第１スキージ駆動部５５を駆動して、第１スキージ５３を第２方向Ｗ２へ移動させる。これと同時に、制御部７０は、接着剤付与部４０により、フィルムＦの第１領域６１に接着剤Ａを吐出させる（図５（ｃ）、図８：Ｓ２参照）。
【００４１】
図６（ｄ）では、制御部７０が、第１トルクモーター３３および第２トルクモーター３４を駆動して、フィルムＦをさらに第１方向Ｗ１へ送らせることを示している（図８：Ｓ３参照）。次に、制御部７０は、昇降機構１４を駆動して、フィルムＦ上に転写コマ１８を下降させる。これにより、フィルムＦに拡げられている第２領域６２の接着剤Ａの一部（０．０５％程度）が、転写コマ１８に転写され、第２領域６２のフィルムＦに拡げられていた接着剤Ａは、凹凸のある状態となって残存する。また、制御部７０は、昇降機構１４の駆動と共に、第１スキージ駆動部５５を駆動して、第１スキージ５３を第２方向Ｗ２へ移動させる。これにより、第１領域６１の接着剤ＡがフィルムＦに拡げられる（図６（ｅ）、図８：Ｓ４参照）。
【００４２】
転写が終了し、制御部７０が、昇降機構１４を駆動して、転写コマ１８を上昇させた後、再び第１トルクモーター３３および第２トルクモーター３４を駆動させ、フィルムＦを第１方向Ｗ１に送らせる（図６（ｆ）、図８：Ｓ５参照）。
【００４３】
ここで、制御部７０は、記憶部が記憶している接着剤Ａの使用可能時間により、各部の動作を継続させるか終了させるかの判断を行う（図８：Ｓ６参照）。接着剤Ａの使用可能時間が経過している場合は（Ｓ６；ｙｅｓ）、第１トルクモーター３３および第２トルクモーター３４を駆動させ、フィルムＦを第２回転リール３２へ巻き取る（図８：Ｓ１０参照）。すなわち、制御部７０は、転写部１０による、転写対象物への接着剤Ａの転写を停止する。
【００４４】
制御部７０は、記憶部が記憶している接着剤Ａの使用可能時間が経過していない場合は（Ｓ６；ｎｏ）、図７（ｇ）に示すように、制御部７０が、第２スキージ駆動部５８を駆動させ、第２スキージ５６を、第１方向Ｗ１へ移動させる。これにより、フィルムＦの第２領域６２に接着剤Ａが拡げられる。また、制御部７０は、第２スキージ駆動部５８の駆動と共に、昇降機構１４を駆動して、転写コマ１８をフィルムＦ上に下降させる。これにより、フィルムＦに付与されている第１領域６１の接着剤Ａの一部が、転写コマ１８に転写される（図８：Ｓ７参照）。
【００４５】
次に、制御部７０は、第１トルクモーター３３および第２トルクモーター３４を駆動させ、フィルムＦを第２方向Ｗ２へ送らせる。（図７（ｈ）、図８：Ｓ８参照）。
【００４６】
ここで、制御部７０は、記憶部が記憶している接着剤Ａの使用可能時間により、各部の動作を継続させるか終了させるかの判断を行う（図８：Ｓ９参照）。
【００４７】
制御部７０が、各部の動作を継続させる判断を行った場合は、図７（ｉ）に示すように、制御部７０は、第１スキージ駆動部５５を駆動させ、第１スキージ５３を第１方向Ｗ１へ移動させる。これにより、フィルムＦの第１領域６１に接着剤Ａが拡げられる。また、制御部７０は、第１スキージ駆動部５５の駆動と共に、昇降機構１４を駆動して、転写コマ１８をフィルムＦ上に下降させる。これにより、フィルムＦに付与されている第２領域６２の接着剤Ａの一部が、転写コマ１８に転写される（図８：Ｓ４参照）。
【００４８】
本実施形態による、接着剤転写装置１は、接着剤転写可能時間まで、上述した図６（ｅ）から、図７（ｉ）までの一連の動作を繰り返し実行する。
【００４９】
以上が、本実施形態における接着剤転写装置１による、接着剤Ａの転写についての説明である。
【００５０】
なお、本実施形態で示す図６および図７においては、説明の便宜上、接着剤転写装置１による転写数（転写箇所）を４箇所としたが、転写数については、転写対象物の部品種別、サイズ等によって変わってくるものである。
【００５１】
以上、本発明の実施形態に係る接着剤転写装置１によれば、フィルムＦに拡げられた接着剤Ａから一部を転写対象物に転写した後、送り部３０により、フィルムＦが第２方向Ｗ２へ送られ、拡げ部５１、５２により、残った残部の接着剤Ａが、フィルムＦに拡げられ、送り部３０により、フィルムＦが第１方向Ｗ１へ送られ、転写部１０により、拡げられた残部の接着剤Ａから一部が転写対象物に転写される。これにより、フィルムＦに残った残部の接着剤Ａを、再利用することができる。特に本実施形態に係る接着剤転写装置１では、転写コマ１８に転写する１回あたりの接着剤Ａの使用量が少ないため、各スキージ５３、５６により、フィルムＦに接着剤Ａを拡げることで、繰り返し、接着剤Ａが使用できるものである。
【００５２】
また、各スキージ５３、５６を、各領域６１、６２に対して、第１方向Ｗ１および第２方向Ｗ２へ交互に移動させることで、各スキージ５３、５６の移動方向の下流端に形成される接着剤溜りを、次回のスキージ５３、５６の移動により、フィルムＦに拡げることができる。
【００５３】
さらには、制御部７０が、各部の動作を制御することで、一連の各部の動作を、自動的に行うことができる。また、第１拡げ部５１および第２拡げ部５２を備えたことで、拡げ部５１、５２が１箇所のみの場合より、転写部１０の稼働率を向上させることができ、タクトタイムを短縮することができる。また、制御部７０が、接着剤Ａの使用可能時間が経過した時点で、転写部１０による転写対象物への接着剤Ａの転写を停止することで、使用可能時間が経過した接着剤Ａを転写対象物に転写してしまうことを防止できる。
【００５４】
また、本実施形態では、接着剤Ａの転写対象物に転写コマ１８を使用することで、フィルムＦから接着剤Ａを、転写対象物の平面上の一部分に転写することができるものである。これにより、第１接着対象物であるカバープレート２０の平面上の一部分に接着剤Ａを再転写できる。もっとも、第１接着対象物の平面上の全面に接着剤Ａを付与する場合には、第１接着対象物を転写対象物とすれば良い。
【符号の説明】
【００５５】
Ｆ…フィルム  Ａ…接着剤  Ｐ１…第１拡げ位置  Ｐ２…第２拡げ位置  ５１…第１拡げ部  ５２…第２拡げ部  ５４…第１拡げ土台  ５７…第２拡げ土台  Ｐ３…転写位置  １０…転写部  Ｗ１…第１方向  Ｗ２…第２方向  ３０…送り部  ３１…第１回転リール  ３２…第２回転リール  ３３…第１トルクモーター  ３４…第２トルクモーター  １…接着剤転写装置
【図１】
2015112529.tif 000003
【図２】
2015112529.tif 000004
【図３】
2015112529.tif 000005
【図４】
2015112529.tif 000006
【図５】
2015112529.tif 000007
【図６】
2015112529.tif 000008
【図７】
2015112529.tif 000009
【図８】
2015112529.tif 000010